(57)【要約】【課題】  携帯用端末機がクレードルに安着している場合も携帯用端末機の盗難を防ぐことができ，それにより他人が携帯用端末機を不正に使うことを防止することができる固定装置及び固定方法を提供する。【解決手段】  端末機制御部１１０，下部プレート一方側に備えられ，端末機制御部と連結された第１の連結端子１３０，及び下部プレート他方側に穿孔された固定孔１４１を備えた携帯用端末機１００；及び携帯用端末機を安着させる安着部２４０，クレードル制御部２１０，第１の連結端子に対応される位置に備えられ，クレードル制御部と連結された第２の連結端子２３０，及び安着部で固定孔に対応する位置に備えられた固定具２４１を備えたクレードル２００；を含み，固定具の回転要求情報である固定具回転情報に基づいて固定具が固定孔に挿入し回転される固定装置が提供される。【選択図】  図３
2004229309.tif 000002
【特許請求の範囲】
【請求項１】
携帯用端末機とクレードルとの間の固定機構であって，
前記携帯用端末機は，端末機制御部と，下部プレート一方側に備えられ，前記端末機制御部と連結された第１の連結端子と，前記下部プレート他方側に穿孔された固定孔と，を備え，
前記クレードルは，前記携帯用端末機を安着させる安着部と，クレードル制御部と，前記第１の連結端子に対応される位置に備えられ，前記クレードル制御部と連結された第２の連結端子と，前記安着部で前記固定孔に対応する位置に備えられた固定具と，を備え，
前記固定具の回転要求情報である固定具回転情報に基づいて前記固定具が前記固定孔に挿入し回転されることを特徴とする，携帯用端末機とクレードルとの間の固定機構。
【請求項２】
前記下部プレートは，前記固定具及び対応する前記固定孔の数が複数であることを特徴とする，請求項１に記載の携帯用端末機とクレードルとの間の固定機構。
【請求項３】
前記固定具及び前記固定孔の相互ロック状態が求められる場合には，
前記固定具回転情報は，前記携帯用端末機が前記安着部に安着されて前記第１及び第２の連結端子の結合に応じて算出されることを特徴とする，携帯用端末機とクレードルとの間の固定機構。
【請求項４】
前記携帯用端末機は，入力部；をさらに含み，
前記固定具及び前記固定孔の相互ロック解除が求められる場合には，
前記固定具回転情報は，前記入力部から入力されたパスワードに応じて算出されることを特徴とする，請求項１に記載の携帯用端末機とクレードルとの間の固定機構。
【請求項５】
前記クレードルは，前記クレードル制御部から制御され，前記固定具に連結された回転モーター；をさらに含み，
前記回転モーターは，前記クレードルに前記固定具回転情報の認識信号が入力された場合に回転するように制御されることを特徴とする，請求項３に記載の携帯用端末機とクレードルとの間の固定機構。
【請求項６】
前記第２の連結端子は前記第１の連結端子に含まれ，前記端末機制御部に連結された第１の制御部連結端子に対応され，前記クレードル制御部に連結された第２の制御部連結端子；を含み，
前記認識信号は，前記携帯用端末機が前記安着部に安着された場合に前記第１及び第２の制御部連結端子が相互結合され，前記第１及び第２の制御部連結端子を介して前記端末機制御部が前記クレードル制御部に伝送する信号であることを特徴とする，請求項５に記載の携帯用端末機とクレードルとの間の固定機構。
【請求項７】
前記第２の連結端子は，前記第１の連結端子に含まれ，前記端末機制御部に連結された第１の制御部連結端子に対応し，前記クレードル制御部に連結された第２の制御部連結端子；を含み，
前記認識信号は前記入力部にパスワードが入力され，前記第１及び第２の制御部連結端子を介して前記端末機制御部が前記クレードル制御部に伝送する信号であることを特徴とする，請求項５に記載の携帯用端末機とクレードルとの間の固定機構。
【請求項８】
前記回転モーターは，前記クレードル制御部を介して回転モーター制御信号が入力された場合に，前記固定具の回転が中止するよう制御されることを特徴とする，請求項６に記載の携帯用端末機とクレードルとの間の固定機構。
【請求項９】
前記携帯用端末機は，前記下部プレートの所定の領域に穿孔された光送受信通孔；をさらに備え，
前記クレードルは，光を出射し，出射された光が前記光送受信通孔を介して前記固定具に反射されるための位置に配され，前記クレードル制御部により制御される光送受信ポートと；前記固定具の底面に光を反射する反射板と；をさらに含み，
前記回転モーター制御信号は，前記反射板から反射される所定の光反射量が前記光送受信ポートに受信される場合，前記光反射量に基づいて前記クレードル制御部から生成される信号であることを特徴とする，請求項８に記載の携帯用端末機とクレードルとの間の固定機構。
【請求項１０】
前記光反射量が所定量以下のときに，前記固定具回転情報は前記第１及び第２の連結端子の結合に応じて算出されることを特徴とする，請求項９に記載の携帯用端末機とクレードルとの間の固定機構。
【請求項１１】
前記光反射量は所定量以上のときに，前記固定具回転情報は前記入力部に入力された前記パスワードに応じて算出されることを特徴とする，請求項９に記載の携帯用端末機とクレードルとの間の固定機構。
【請求項１２】
前記クレードルは，前記クレードル制御部から制御され，前記回転モーターに連結されて前記回転モーターに印加される電源の極性を転換させる極性転換端子；をさらに含み，
前記極性転換端子は，前記クレードル制御部を介して前記第１及び第２の連結端子結合の認識信号が入力された場合に前記回転モーターを所定の方向に回転させ，前記パスワード入力の認識信号が入力された場合に前記所定方向の逆方向に回転させるように極性を転換することを特徴とする，請求項５に記載の携帯用端末機とクレードルとの間の固定機構。
【請求項１３】
端末機制御部，下部プレート一方側に備えられ，前記端末機制御部と連結された第１の連結端子，及び前記下部プレート他方側に穿孔された固定孔を備えた携帯用端末機と；
前記携帯用端末機を安着させる安着部，クレードル制御部，前記第１の連結端子に対応する位置に備えられ，前記クレードル制御部と連結された第２の連結端子，前記安着部で前記固定孔に対応する位置に備えられた固定具，前記固定具を回転させるように前記固定具に連結された回転モーターを備えたクレードルと；の間の固定方法であって，
（ａ）前記固定具の回転要求情報である固定具回転情報を生成するステップ；
（ｂ）前記固定具回転情報を前記端末機制御部が認識して前記クレードル制御部に認識信号を伝送するステップ；
（ｃ）前記認識信号に基づいて前記クレードル制御部が前記回転モーターを制御する制御信号を出力するステップ；
（ｄ）前記制御信号により前記回転モーターを駆動し，それに応じて前記固定具が回転するステップ；
を含むことを特徴とする，携帯用端末機とクレードルとの間の固定方法。
【請求項１４】
前記固定具及び前記固定孔の相互ロック状態が求められる場合には，
前記（ａ）ステップにおいて，前記固定具回転情報は，前記携帯用端末機が前記安着部に安着されて前記第１及び第２の連結端子の結合に応じて算出されることを特徴とする，請求項１３に記載の携帯用端末機とクレードルとの間の固定方法。
【請求項１５】
前記固定具及び前記固定孔の相互ロック状態が求められる場合には，
前記（ａ）ステップにおいて，前記固定具回転情報は，前記携帯用端末機に前記端末機制御部と連結された入力部が備えられ，前記入力部から入力されたパスワードに応じて算出されることを特徴とする，請求項１３に記載の携帯用端末機とクレードルとの間の固定方法。
【請求項１６】
（ｅ）回転する前記固定具に光を出射して，出射された光反射量に応じて前記回転モーターの駆動を中止させるステップ；をさらに含むことを特徴とする，請求項１３に記載の携帯用端末機とクレードルとの間の固定方法。
【請求項１７】
前記固定具及び前記固定孔の相互ロック状態が求められる場合には，
前記（ｅ）ステップにおいて，前記光反射量が所定量以下のときであることを特徴とする，請求項１６に記載の携帯用端末機とクレードルとの間の固定方法。
【請求項１８】
前記固定具及び前記固定孔の相互ロック解除が求められる場合には，
前記（ｅ）ステップにおいて，前記光反射量が所定量以上のときであることを特徴とする，請求項１６に記載の携帯用端末機とクレードルとの間の固定方法。
【請求項１９】
少なくとも１つの固定孔を有する携帯用端末機とクレードルとを互いに固定させるための固定装置であって，
前記クレードルと前記携帯用端末機とを連結するための少なくとも１つの連結部と；
固定具回転情報に基づいて前記クレードルと前記携帯用端末機との相互ロック／ロック解除を行うため回転する前記固定孔の位置と対応する位置に備えられている少なくとも１つの固定具を有する固定部と；
からなることを特徴とする，携帯用端末機とクレードルとの間の固定装置。
【請求項２０】
前記固定部は，前記少なくとも１つの固定具の回転を制御するための前記クレードルに配している回転モーターを含むことを特徴とする，請求項１９に記載の携帯用端末機とクレードルとの間の固定装置。
【請求項２１】
前記携帯用端末機は，
前記固定具と固定孔のロック解除のためユーザによりパスワードが入力される入力部；
前記固定具回転情報は，入力されたパスワードに対応して生成されることを特徴とする，請求項２０に記載の携帯用端末機とクレードルとの間の固定装置。
【請求項２２】
前記少なくとも１つの固定具から光を出射し，前記固定具の回転を制御するための信号を伝送する光送受信部を付加することを特徴とする，請求項１９に記載の携帯用端末機とクレードルとの間の固定装置。
【請求項２３】
前記光送受信部は，前記固定具が配している反射板の位置と対応して配していることを特徴とする，請求項２２に記載の携帯用端末機とクレードルとの間の固定装置。
【請求項２４】
前記光送受信部は，
光を出射する前記クレードルに配するポート；
前記ポートから光を受信し，受信した光を前記携帯用端末機内に伝達する前記携帯用端末機に位置する通孔；を含み，
前記通孔は，前記ポートと対応する位置に配されることを特徴とする，請求項２３に記載の携帯用端末機とクレードルとの間の固定装置。
【請求項２５】
前記光は，紫外線であることを特徴とする，請求項２４に記載の携帯用端末機とクレードルとの間の固定装置。
【請求項２６】
前記反射板は，前記少なくとも１つの固定具から出射される光が反射される位置に配され，反射される光量に基づいて前記回転モーターの回転を制御するための信号が通孔を介してポートに伝達されることを特徴とする，請求項２４に記載の携帯用端末機とクレードルとの間の固定装置。
【請求項２７】
前記少なくとも１つの光送受信ポートから出射される光に対する光反射量が所定量より多い場合に，前記回転モーターを繰返して駆動することを特徴とする，請求項２６に記載の携帯用端末機とクレードルとの間の固定装置。
【請求項２８】
前記少なくとも１つの光送受信ポートから出射される光に対する光反射量が所定量より多くない場合に，前記光送受信ポートはクレードル制御部に前記回転モーターの駆動を中断するための信号を伝送することを特徴とする，請求項２６に記載の携帯用端末機とクレードルとの間の固定装置。
【請求項２９】
前記連結部は第１の連結端子と第２の連結端子とに備えられ，
前記第１の連結端子と第２の連結端子は，前記携帯用端末機とクレードルの対応される位置に配され相互連結されており，前記携帯用端末機とクレードル間のデータと情報と信号を送受信することを特徴とする，請求項１９に記載の携帯用端末機とクレードルとの間の固定装置。
【請求項３０】
前記第１の連結端子と第２の連結端子のうちいずれの連結端子は，外部装置とデータ情報と信号を送受信することを特徴とする，請求項２９に記載の携帯用端末機とクレードルとの間の固定装置。
【請求項３１】
前記外部装置はコンピュータであることを特徴とする，請求項３０に記載の携帯用端末機とクレードルとの間の固定装置。
【請求項３２】
前記外部装置は電源供給部であることを特徴とする，請求項３０に記載の携帯用端末機とクレードルとの間の固定装置。
【請求項３３】
前記端末機制御部からクレードル制御部に伝達される信号は第１及び第２の連結端子の結合に対応される信号であることを特徴とする，請求項２９に記載の携帯用端末機とクレードルとの間の固定装置。
【請求項３４】
前記端末機制御部からクレードル制御部に伝達される信号は，前記入力部から入力されるパスワードに対応する信号であることを特徴とする，請求項２９に記載の携帯用端末機とクレードルとの間の固定装置。
【請求項３５】
前記クレードルは，前記回転モーターに供給される電源の極性を転換するための極性転換端子を含むことを特徴とする，請求項２０に記載の携帯用端末機とクレードルとの間の固定装置。
【請求項３６】
前記第１の制御信号が前記極性転換端子に入力された場合，前記極性転換端子は前記携帯用端末機とクレードルを相互連結するために所定の方向で回転モーターを回転するための電源の極性を転換することを特徴とする，請求項３５に記載の携帯用端末機とクレードルとの間の固定装置。
【請求項３７】
前記第２の制御信号が前記極性転換端子に入力された場合，前記極性転換端子は，前記携帯用端末機とクレードルとの相互連結を解除するために前記所定方向と逆方向に回転モーターを回転するための電源の極性を転換することを特徴とする，請求項３５に記載の携帯用端末機とクレードルとの間の固定装置。
【請求項３８】
前記少なくとも１つの固定具は「１」字形状であって，前記固定孔は長孔状であることを特徴とする，請求項１９に記載の携帯用端末機とクレードルとの間の固定装置。
【請求項３９】
前記少なくとも１つの固定具と固定孔は多様な状態とサイズを有することを特徴とする，請求項１９に記載の携帯用端末機とクレードルとの間の固定装置。
【発明の詳細な説明】
【技術分野】
【０００１】
本発明は，携帯用端末機とクレードルとの間の固定機構，固定方法，及び固定装置にかかり，特に，携帯用端末機及びそのクレードルに安着して保管する際あるいは充電する際に盗難や離脱を防止することのできる携帯用端末機とクレードルとの間の固定機構，固定方法，及び固定装置に関する。
【背景技術】
【０００２】
現在，電子及び通信技術の発達に伴いデータ処理のための様々な端末機が開発されつつある。特に，使用領域の制限が克服できる携帯用端末機が新たな領域を構築しており，それに応じる多様の技術や製品が出回っている。
【０００３】
図１のように，一般の携帯用端末機１０はクレードル（ｃｒａｄｌｅ）という安着装置を有する。ユーザが携帯用端末機１０を使用しない場合，あるいは携帯用端末機１０に内蔵された電源供給部に電源を充電するため，またはメインコンピュータ（図示せず）に連結して種々のデータを伝送したり伝送されるために携帯用端末機１０をクレードル２０の安着部２４に安着させる。
【０００４】
かかる携帯用端末機１０のためのクレードル２０は，一般に移動用として使われる携帯用端末機１０によって多様な形態を有し，車内・室内に設け外部電源もしくはメインコンピュータと連結する。
【０００５】
しかし，従来の携帯用端末機１０のためのクレードル２０には，携帯用端末機１０が安着される安着部２４と，安着部２４内の一方側に携帯用端末機１０の電源を充電したりクレードル２０と繋がったメインコンピュータと連結するための連結端子２３のみが備えられていることが殆どである。前記連結端子２３は，携帯用端末機１０の連結端子１３と連結される。かかる構成は，電子技術の発展に伴うコンピュータの小型化に従って各データを処理し，内蔵するＰＤＡ（Ｐｅｒｓｏｎａｌ  Ｄｉｇｉｔａｌ  Ａｓｓｉｓｔａｎｔ）などの携帯用端末機１０に対する保安上の問題を抱えている。すなわち，データを処理し格納する能力を備えた携帯用端末機１０には，種々の情報が収録されているので盗難時に情報漏れのおそれがある。特に，携帯用端末機１０の使用が主に外部で行われ，携帯用端末機１０のためのクレードル２０の殆どが車内に設けられることを勘案すると，このような保安の問題は重要な問題となる。
【０００６】
さらに，携帯用端末機１０そのものは高価であるため紛失のときは経済的にその負担が高くなる。
【発明の開示】
【発明が解決しようとする課題】
【０００７】
本発明は前述した問題点を解決するために案出されたもので，本発明の目的は，携帯用端末機がクレードルに安着している場合も携帯用端末機の盗難を防ぐことができ，それにより他人が携帯用端末機を不正に使うことを防止することができる，携帯用端末機とクレードルとの間の固定機構，固定方法，及び固定装置を提供することにある。
【課題を解決するための手段】
【０００８】
前述した目的を達成するための本発明に係る固定装置は，端末機制御部，下部プレート一方側に備えられ，前記端末機制御部と連結された第１の連結端子，及び前記下部プレート他方側に穿孔された固定孔を備えた携帯用端末機；及び前記携帯用端末機を安着させる安着部，クレードル制御部，前記第１の連結端子に対応される位置に備えられ，前記クレードル制御部と連結された第２の連結端子，及び前記安着部で前記固定孔に対応する位置に備えられた固定具を備えたクレードル；を含み，前記固定具の回転要求情報である固定具回転情報に基づいて前記固定具が前記固定孔に挿入し回転される。
【０００９】
前記固定具及び前記固定孔の相互ロック状態が求められる場合には，前記固定具回転情報は，前記携帯用端末機が前記安着部に安着されて前記第１及び第２の連結端子の結合に応じて算出される。
【００１０】
前記携帯用端末機は，入力部；をさらに含み，前記固定具及び前記固定孔の相互ロック解除が求められる場合には，前記固定具回転情報は，前記入力部から入力されたパスワードに応じて算出される。
【００１１】
前記クレードルは，前記クレードル制御部から制御され，前記固定具に連結された回転モーター；をさらに含み，前記回転モーターは，前記クレードルに前記固定具回転情報の認識信号が入力されれば回転するように制御される。
【００１２】
前記第２の連結端子は前記第１の連結端子に含まれ，前記端末機制御部に連結された第１の制御部連結端子に対応され，前記クレードル制御部に連結された第２の制御部連結端子；を含み，前記認識信号は，前記携帯用端末機が前記安着部に安着された場合に前記第１及び第２の制御部連結端子が相互結合され，前記第１及び第２の制御部連結端子を介して前記端末機制御部が前記クレードル制御部に伝送する信号である。
【００１３】
前記第２の連結端子は，前記第１の連結端子に含まれ，前記端末機制御部に連結された第１の制御部連結端子に対応し，前記クレードル制御部に連結された第２の制御部連結端子；を含み，前記認識信号は前記入力部にパスワードが入力され，前記第１及び第２の制御部連結端子を介して前記端末機制御部が前記クレードル制御部に伝送する信号である。
前記回転モーターは，前記クレードル制御部を介して回転モーター制御信号が入力されれば，前記固定具の回転が中止するよう制御される。
【００１４】
前記携帯用端末機は，前記下部プレートの所定の領域に穿孔された光送受信通孔；をさらに備え，前記クレードルは光を出射し，出射された光が前記光送受信通孔を介して前記固定具に反射されるための位置に配され，前記クレードル制御部により制御される光送受信ポート；及び前記固定具の底面に光を反射する反射板；をさらに含み，前記回転モーター制御信号は，前記反射板から反射される所定の光反射量が前記光送受信ポートに受信される場合，前記光反射量に基づいて前記クレードル制御部から生成される信号である。
【００１５】
前記固定具回転情報が前記第１及び第２の連結端子の結合に応じて算出される場合，前記光反射量は所定量以下のときである。
【００１６】
前記固定具回転情報が前記入力部に入力された前記パスワードに応じて算出される場合，前記光反射量は所定量以上のときである。
【００１７】
前記クレードルは前記クレードル制御部から制御され，前記回転モーターに連結されて前記回転モーターに印加される電源の極性を転換させる極性転換端子；をさらに含み，前記極性転換端子は，前記クレードル制御部を介して前記第１及び第２の連結端子結合の認識信号が入力されれば前記回転モーターを所定の方向に回転させ，前記パスワード入力の認識信号が入力されれば前記所定方向の逆方向に回転させるように極性を転換する。
【００１８】
さらに，前述の技術的課題を解決するための本発明に係る固定方法は，端末機制御部，下部プレート一方側に備えられ，前記端末機制御部と連結された第１の連結端子，及び前記下部プレート他方側に穿孔された固定孔を備えた携帯用端末機；及び前記携帯用端末機を安着させる安着部，クレードル制御部，前記第１の連結端子に対応する位置に備えられ，前記クレードル制御部と連結された第２の連結端子，前記安着部で前記固定孔に対応する位置に備えられた固定具，前記固定具を回転させるように前記固定具に連結された回転モーターを備えたクレードル；に基づいた固定方法であって，（ａ）前記固定具の回転要求情報である固定具回転情報を生成するステップ；（ｂ）前記固定具回転情報を前記端末機制御部が認識して前記クレードル制御部に認識信号を伝送するステップ；（ｃ）前記認識信号に基づいて前記クレードル制御部が前記回転モーターを制御する制御信号を出力するステップ；（ｄ）前記制御信号により前記回転モーターを駆動し，それに応じて前記固定具が回転するステップ；を含む。
【発明の効果】
【００１９】
以上説明したように，本発明によれば，携帯用端末機の盗難を防止することができ，それにより他人が携帯用端末機を不正に使うことを防ぐことができる。また，クレードルを車内に設けた場合，車が振動や衝撃のある所を通るときにクレードルから携帯用端末機の離脱を防止することができる。
【発明を実施するための最良の形態】
【００２０】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２１】
図２は，本実施の形態にかかる携帯用端末機１００及びクレードル２００を示す斜視図である。
【００２２】
まず，携帯用端末機１００には，前面にディスプレー画面１２０が備えられており，種々のデータ情報を表示したりユーザによる入力を表示する。ディスプレー画面１２０はＴＳＰ（Ｔｏｕｃｈ  Ｓｃｒｅｅｎ  Ｐａｎｅｌ）であることが好ましい。
【００２３】
本実施の形態ではディスプレー画面１２０がＴＳＰであると仮定して詳説する。よって，ディスプレー画面１２０が入力部の機能を同時に備えることになる。
【００２４】
さらに，携帯用端末機１００の下部には，下部プレート１４０が備えられる。下部プレート１４０の一方側には固定孔１４１，他方側には第１の連結端子１３０が備えられる。
【００２５】
携帯用端末機１００が安着されるクレードル２００は，上部にては携帯用端末機１００の下部プレート１４０と結合される安着部２４０が備えられる。また，安着部２４０にては一方側に携帯用端末機１００の固定孔１４１へ挿入される固定具２４１が備えられ，他方側には携帯用端末機１００の第１の連結端子１３０と結合される第２の結合端子２３０がそれぞれ対応される位置に配される。
【００２６】
固定具２４１は，固定孔１４１によって多様な形態で備えられる。なお，固定具２４１が「１」字形態を有し，それに応じて固定孔１４１が長孔であることが好ましい。
【００２７】
本実施の形態では，固定具２４１が１つだけ備えられているが，必ずしもそれに限らず，複数の固定具２４１を備えることができ，固定具２４１の数に応じて複数の固定孔１４１が備えられる。
【００２８】
図３は，本実施の形態にかかる携帯用端末機及びクレードルの内部構造を示す概略的な断面図である。
【００２９】
前記携帯用端末機１００は，端末機制御部１１０，ディスプレー画面１２０，下部プレート１４０を有する。
【００３０】
端末機制御部１１０は，携帯用端末機１００内の演算装置，入出力装置，記憶装置，信号を授受して命令の抽出，解読，入力や出力の制御などを行う。
【００３１】
端末機制御部１１０は，第１及び第２の連結端子１３０，２３０の結合に対応して算出される第１の固定具回転情報を認識して，第１及び第２の連結端子１３０，２３０を介してクレードル２００内のクレードル制御部２１０に第１の認識信号を伝送する。
【００３２】
さらに，端末機制御部１１０は，携帯用端末機１００及びクレードル２００がロック状態においてロック解除のためにディスプレー画面１２０からパスワードが入力される場合，前記パスワードが正しいかを判断する。正しいパスワードであると判断されれば，前記パスワードに応じて算出される第２の固定具回転情報によって携帯用端末機１００の端末機制御部１１０からクレードル２００のクレードル制御部２１０に第２の認識信号を伝送する。
【００３３】
下部プレート１４０は，第１の連結端子１３０，固定孔１４１，光送受信通孔１４２を備える。
【００３４】
第１の連結端子１３０は，下部プレート１４０の一方側に備えられ，第１の直列連結端子１３１と第１の制御部連結端子１３２を含む。
【００３５】
第１の直列連結端子１３１は，端末機制御部１１０で処理されたデータ情報及び信号をクレードル２００に連結されたコンピュータ（図示せず）に伝送する通路の役割を果たす。
【００３６】
第１の制御部連結端子１３２は，第１及び第２の連結端子１３０，２３０が互いに結合した場合，または正しいパスワードがディスプレー画面１２０に入力された場合に端末機制御部１１０が出力する第１及び第２の認識信号をクレードル制御部２１０に伝送する通路の役割を果たす。
【００３７】
固定孔１４１は，前述のように固定具２４１が挿入することができるよう固定具２４１に対応される位置に配され，固定具２４１の形状に応じて固定孔１４１の形状も変わる。
【００３８】
光送受信通孔１４２は，後で説明される光送受信ポート２４２から出射される赤外線を携帯用端末機１００内に通過させるための通路である。これも光送受信ポート２４２に対応される位置に備えられる。ただし，本実施の形態においては光送受信ポート２４２から出射される光を赤外線に限定して説明するが，本発明はこれに限定しない。
【００３９】
本実施の形態にかかるクレードル２００内は，内部にクレードル制御部２１０，極性転換端子２２０，光送受信ポート２４２，回転モーター２５０，及び電源供給部２６０を含む。
【００４０】
クレードル制御部２１０はクレードル２００内の演算装置，記憶装置，信号を授受して命令の抽出，解読，入力や出力の制御などを行う。
【００４１】
本実施の形態にかかるクレードル制御部２１０は，携帯用端末機１００及びクレードル２００を固定する場合，端末制御部１１０が第１及び第２の連結端子１３０，２３０の結合を認識して伝送した第１の認識信号を受信し，回転モーター２５０を駆動すると同時に光送受信ポート２４２から赤外線が出力されるように第１及び第２の制御信号を出力する。そして，反射板２４３に反射された光送受信ポート２４２から出射された赤外線の光反射量が所定の量以下であると認識されると，光送受信ポート２４２から伝送される第１信号を入力して回転モーター２５０の駆動を停止させる第３の制御信号を出力する。
【００４２】
さらに，クレードル制御部２１０は，携帯用端末機１００及びクレードル２００の相互ロックを解除するとき，端末機制御部１１０がディスプレー画面１２０に正しいパスワードが入力されることを認識し，伝送した第２の認識信号を受信して回転モーター２５０を駆動すると同時に光送受信ポート２４２から赤外線が出力されるように第１及び第２の制御信号を出力する。そして，反射板２４３に反射された光送受信ポート２４２から出射された赤外線の光反射量が所定の量以上であることが認識されると，光送受信ポート２４２から伝送する第２の信号を入力して回転モーター２５０の駆動を停止させる第４の制御信号を出力する。
【００４３】
極性転換端子２２０は，電源供給部２６０及び回転モーター２５０との間に備え，回転モーター２５０に提供される電源の極性を転換させる役割を果たす。従って，所定の極性である場合には正方向で固定具２４１を回転させ，反対の極性である場合には逆方向で固定具２４１を回転させる。
【００４４】
光送受信ポート２４２は，固定具２４１の反射板２４３に対応される位置に備えられ，クレードル制御部２１０に第１及び第２の認識信号が入力されて回転モーター２５０を駆動させる第１の制御信号を出力する際，同時に出力される第２の制御信号を入力して光送受信通孔１４２を介して赤外線を出射させる。出射された赤外線は，反射板２４３があるところは反射されるが反射板２４３のない所には反射されない。
【００４５】
回転モーター２５０は，上部に連結された固定具２４１を回転させる機能を行い，電源供給部２６０と連結して，電源供給部２６０で供給された電源により駆動される。
【００４６】
電源供給部２６０は，クレードル制御部２１０により制御され，回転モーター２５０の駆動のための電源を供給する。
【００４７】
さらに，クレードル２００は，上端に安着部２４０を備え，携帯用端末機１００が安着されており，安着部２４０の一方側には固定具２４１，他方側には第２の連結端子２３０が備えられる。
【００４８】
第２の連結端子２３０は，安着部２４０の一方側に備えられ第２の直列連結端子２３１と第２の制御部連結端子２３２を含む。
【００４９】
第２の直列連結端子２３１は，第１の直列連結端子１３１と結合され，これを介して端末機制御部１１０で処理されたデータ情報及び信号をクレードル２００に連結されたメインコンピュータ（図示せず）に伝送する通路の役割を果たす。
【００５０】
第２の制御部連結端子２３２は，第１の制御部連結端子１３２と結合され，前述で説明した第１及び第２の認識信号を端末機制御部１１０からクレードル制御部２１０に伝送する通路の役割を果たす。
【００５１】
図３などにおいては，第１の連結端子１３１は雌端子，第２の連結端子２３１は雄端子として示したがこれに限定されない。
【００５２】
固定具２４１は，携帯用端末機１００及びクレードル２００が結合される場合に固定孔１４１に挿入され，下部には回転モーター２５０と連結されて回転モーター２５０の駆動により回転し固定孔１４１とともにロック状態になる。固定具２４１の底面には反射板２４３が備えられており，光送受信ポート２４２から出射される赤外線を反射させる機能を果たす。
【００５３】
図４Ａは，本実施の形態にかかる携帯用端末機及びクレードルが相互ロックされた状態を示す図である。
【００５４】
第１及び第２の連結端子１３０，２３０の結合に対応して算出される第１の固定具回転情報により端末機制御部１１０の第１の認識信号がクレードル制御部２１０に伝達され，クレードル制御部２１０において第１の制御信号は回転モーター２５０に，第２の制御信号は光送受信ポート２４２にそれぞれ出力し固定具２４１を回転させると同時に赤外線を出射して，固定具２４１の回転を停止させる時点を決める。
【００５５】
図４Ｂは，図４Ａの部分拡大図であって，光送受信ポート２４２から出射された赤外線が反射板２４３に反射されて，光送受信ポート２４２で所定の量以上の光反射量を受信した場合には回転モーター２５０は連続して駆動される。しかし，赤外線が反射板２４３に反射されず光送受信ポート２４２で所定の量以下に光反射量を受信した場合，光送受信ポート２４２はクレードル制御部２１０に第１の信号を伝送し，クレードル制御部２１０は第３の制御信号により回転モーター２５０の駆動を停止させる。これにより固定具２４１は，回転を止めて携帯用端末機１００及びクレードル２００間はロック状態になる。
【００５６】
図５Ａは本実施の形態にかかる携帯用端末機及びクレードルが相互ロック解除の状態を示す図である。
【００５７】
入力装置であるディスプレー画面１２０に正しいパスワードの入力に対応して算出される第２の固定具回転情報により端末機制御部１１０の第２の認識信号がクレードル制御部２１０に伝達され，クレードル制御部２１０にて第１の制御信号は回転モーターに，第２の制御信号は光送受信ポート２４２にそれぞれ出力し，固定具２４１を回転させると同時に赤外線を出射して固定具２４１の回転を停止させる時点を決める。
【００５８】
図５Ｂは，図５Ａの部分拡大図であって，光送受信ポート２４２から出射された赤外線が反射板２４３に反射されず光送受信ポート２４２で所定の量以下の光反射量を受信した場合には回転モーター２５０は繰返して駆動されるが，赤外線が反射板２４３に反射されて光送受信ポート２４２で所定の量以上に光反射量を受信した場合，光送受信ポート２４２は第２の信号をクレードル制御部２１０に伝送し，クレードル制御部２１０は第４の制御信号により回転モーター２５０の駆動を停止させる。これによって，固定具２４１は回転を止め携帯用端末機１００とクレードル２００とはロック解除となる。
【００５９】
図４Ａ〜図５Ｂのおける説明では，極性転換端子２２０についての説明を省略したが，以下では極性転換端子２２０について詳説する。
【００６０】
前述において，第１の制御信号が極性転換端子２２０に入力された場合には極性転換端子２２０は回転モーター２５０の電源極性を転換して回転モーター２５０を所定の方向に回転させる。これによって，固定具２４１と所定の方向に回転し携帯用端末機１００とクレードル２００をロック状態にする。
【００６１】
さらに，第２の制御信号が極性転換端子２２０に入力された場合には，極性転換端子２２０は回転モーター２５０の電源極性を転換して前記方向の逆方向で回転モータを回転させる。よって，固定具２４１もその逆方向へと回転し携帯用端末機１００及びクレードル２００をロック解除させる。
【００６２】
図６は，本発明に係る固定方法におけるロック過程に関する流れ図であって，図７は本発明に係る固定方法におけるロック解除過程に関する流れ図である。
【００６３】
まず，携帯用端末機１００及びクレードル２００を互いに固定するため携帯用端末機１００をクレードル２００の安着部２４０に安着させる（Ｓ３１０）。これで第１及び第２の連結端子１３０，２３０は結合し，固定具２４１は固定孔１４１に挿入される（Ｓ３２０）。これを介して第１及び第２の制御部連結端子２３２は互いに結合される。端末機制御部１１０はこれを認識してクレードル制御部２１０に第１の認識信号を伝送する（Ｓ３３０）。
【００６４】
クレードル制御部２１０は，これを受信して回転モーター２５０に第１の制御信号を伝送して回転モーター２５０を駆動させるとともに，光送受信ポート２４２にも第２の制御信号を伝送して光送受信ポート２４２から赤外線が出射されるようにする（Ｓ３４０，３５０）。
【００６５】
そして光送受信ポート２４２は，出射された赤外線が固定具２４１の反射板２４３に反射されて光送受信ポート２４２にて受信されたかを判断する（Ｓ３６０）。光送受信ポート２４２で，反射された赤外線を所定の量以上に受信する場合には，回転モーター２５０は繰返して駆動し，それに応じて固定具２４１も回転する。判断の結果，光送受信ポート２４２にて所定の量以下で赤外線を受信した場合には，回転モーター２５０は駆動を止める。すなわち，光送受信ポートで完全に赤外線が受信されない場合には光送受信ポート２４２からクレードル制御部２１０に第１の信号を送り出し，クレードル制御部２１０は再度回転モーター２５０に第３の制御信号を伝送して回転モーター２５０の駆動を停止させる（Ｓ３７０）。これによって，固定具２４１が固定孔１４１にロック状態となり携帯用端末機１００及びクレードル２００は互いに固定される（Ｓ３８０）。
【００６６】
さらに，携帯用端末機１００及びクレードル２００がロック状態である場合，ユーザが携帯用端末機１００及びクレードル２００のロック解除を希望するとき，入力装置に該当するディスプレー画面１２０にパスワードを入力する（Ｓ４１０）。すると，パスワードは端末機制御部１１０に伝達され，ユーザにより指定された正しいパスワードであるかを判断する（Ｓ４２０）。判断の結果，正しいパスワードであると，端末機制御部１１０はこれを認識してクレードル制御部２１０に第２の認識信号を伝送する（Ｓ４３０）。
【００６７】
クレードル正誤部２１０は，これを受信して回転モーター２５０に第１の制御信号を伝送して回転モーター２５０を駆動させるとともに，光送受信ポート２４２にも第２の制御信号を伝送して光送受信ポート２４２から赤外線が出射されるようにする（Ｓ４４０，Ｓ４５０）。
【００６８】
そして，光送受信ポート２４２は，出射された赤外線が固定具２４１の反射板２４３に反射されて光送受信ポート２４２にて所定の量以上に赤外線が受信されたかを判断する（Ｓ４６０）。判断の結果，光送受信ポート２４２で所定の量以上に赤外線を受信しなかった場合には回転モーター２５０は継続して回転する。しかし，光送受信ポート２４２で所定の量以上に赤外線を受信した場合には，光送受信ポート２４２からクレードル制御部２１０に第２の信号を送り出し，クレードル制御部２１０は再度回転モーター２５０に第４の制御信号を伝送して回転モーター２５０の駆動を停止させる（Ｓ４７０）。よって，固定具２４１が固定孔１４１にてロック解除され，携帯用端末機１００及びクレードル２００はロック解除となる（Ｓ４８０）。
【００６９】
以上説明したように，本実施の形態によれば，携帯用端末機の盗難を防止することができ，それにより他人が携帯用端末機を不正に使うことを防ぐことができる。また，クレードルを車内に設けた場合，車が振動や衝撃のある所を通るときにクレードルから携帯用端末機の離脱を防止することができる。
【００７０】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。すなわち，本発明の保護範囲は，前述の実施形態に限定するものではなく，特許請求の範囲に記載された発明とその均等物にまで及ぶものである。
【産業上の利用可能性】
【００７１】
本発明は，携帯用端末機とクレードルとの間の固定機構，固定方法，及び固定装置に利用可能であり，特に，携帯用端末機及びそのクレードルに安着して保管する際あるいは充電する際に盗難や離脱を防止することのできる携帯用端末機とクレードルとの間の固定機構，固定方法，及び固定装置に利用可能である。
【図面の簡単な説明】
【００７２】
【図１】従来の携帯用端末機及びクレードルを示す斜視図である。
【図２】本発明の一実施形態に係る携帯用端末機及びクレードルを示す斜視図である。
【図３】本発明の一実施形態に係る携帯用端末機及びクレードルの内部構造を示す概略的な断面図である。
【図４Ａ】本発明の一実施例に係る携帯用端末機及びクレードルが相互固定された状態の概略的な断面図である。
【図４Ｂ】図４Ａの部分拡大図であって，固定状態，赤外線出射状態及び極性転換端子を示す図である。
【図５Ａ】図４Ａの携帯用端末機及びクレードルが相互ロック解除状の概略的な断面図である。
【図５Ｂ】図５Ａの部分拡大図であって，相互ロック解除状態及び極性転換端子に対する図である。
【図６】本発明の一実施形態に係る固定方法におけるロック過程を示す流れ図である。
【図７】本発明の一実施形態に係る固定方法におけるロック解除過程を示す流れ図である。
【符号の説明】
【００７３】
１０，１００  携帯用端末機
１２，１２０  ディスプレー画面
１３，１３０  第１の連結端子
２３，２３０  第２の連結端子
１４，１４０  下部プレート
２０，２００  クレードル
２４，２４０  安着部
１４１  固定孔
１４２  光送受信通孔
２４２  光送受信ポート
２４３  反射板
１１０  端末機制御部
２１０  クレードル制御部
１３１  第１の直列連結端子
１３２  第１の制御部連結端子
２３１  第２の直列連結端子
２３２  第２の制御部連結端子
２４１  固定具
２５０  回転モーター
２２０  極性転換端子
２６０  電源供給部
【図１】
2004229309.tif 000003
【図２】
2004229309.tif 000004
【図３】
2004229309.tif 000005
【図４Ａ】
2004229309.tif 000006
【図４Ｂ】
2004229309.tif 000007
【図５Ａ】
2004229309.tif 000008
【図５Ｂ】
2004229309.tif 000009
【図６】
2004229309.tif 000010
【図７】
2004229309.tif 000011